(57)【要約】【課題】管理したい原稿に対応付けて稼動履歴を管理することのできる画像処理装置を提供する。【解決手段】画像処理装置１０は、原稿４０に付された無線タグ４１から情報を読み取るための無線タグリーダ３０を備える。この無線タグ４１には、原稿を個別に特定する「識別子」や原稿のタイトルを表わす「識別名」などからなる無線タグ情報が記録されている。原稿の無線タグから読み取ったこれらの情報とその原稿に対するジョブ内容を表わす「複写枚数」や「ユーザＩＤ」などのジョブ情報とを関連付けてジョブ履歴記憶手段２８に稼動履歴情報として記憶し管理する。【選択図】図１
2006100917.tif 000002
【特許請求の範囲】
【請求項１】
原稿の画像情報を読み取るための読取手段と、
前記読取手段による画像情報の読み取りを含むジョブを実行するジョブ実行手段と、
前記読取手段により画像情報を読み取られた原稿に付されている無線タグから、前記無線タグに記憶されている無線タグ情報を取得する無線タグリーダと、
前記ジョブ実行手段が実行したジョブのジョブ情報と、前記無線タグ情報とを関連付けた、稼動履歴情報を記憶する記憶手段とを有する
ことを特徴とする画像処理装置。
【請求項２】
原稿に付された無線タグから取得した前記無線タグ情報が、その原稿の識別情報を含む
ことを特徴とする請求項１に記載の画像処理装置。
【請求項３】
前記記憶手段は、無線タグを有しない原稿に対して前記ジョブ実行手段が実行したジョブのジョブ情報を、前記稼動履歴情報と区別して記憶する
ことを特徴とする請求項１に記載の画像処理装置。
【請求項４】
前記記憶手段に記憶されている情報を所定の並替条件で並べ替える情報並替手段を有する
ことを特徴とする請求項１または３に記載の画像処理装置。
【請求項５】
前記並替条件を設定する並替条件設定手段を有する
ことを特徴とする請求項４に記載の画像処理装置。
【請求項６】
前記記憶手段に記憶されている情報の中から所定の抽出条件に合致した情報を抽出する情報抽出手段を有する
ことを特徴とする請求項１または３に記載の画像処理装置。
【請求項７】
前記抽出条件を設定する抽出条件設定手段を有する
ことを特徴とする請求項６に記載の画像処理装置。
【請求項８】
前記記憶手段に記憶されている情報を視認可能とする可視化手段を有する
ことを特徴とする請求項１または３に記載の画像処理装置。
【請求項９】
前記記憶手段に記憶されている情報を指定された情報端末に送信する送信手段を有する
ことを特徴とする請求項１または３に記載の画像処理装置。
【発明の詳細な説明】
【技術分野】
【０００１】
本発明は、書籍などの原稿を複写する際に、複写実績を記憶する画像処理装置に関する。
【背景技術】
【０００２】
デジタル複写機などの画像処理装置は、画像読取手段と画像形成手段などが協働して、原稿の情報の複写、表示、遠隔地送信などを行なう。しかしながら、企業の機密情報管理や著作物管理上の要請から、原稿についての複写行為に対して何ら管理を行なわないことは望ましくない。
【０００３】
そこで、機密文書の不正な複写を防止するための、いくつかの技術が提案されている。
【０００４】
特許文献１には、ユーザがＲＦＩＤ（Radio Frequency IDentification；電波方式認識）を利用した無線タグを保有し、これを用いて複写機の作動許可を行なう技術が開示されている。その仕組みは、ユーザの持つ無線タグに記録されたアクセス権と、別途機密文書に付した無線タグに記録されている機密レベルとを複写機が読み取り、ユーザのアクセス権が文書の機密レベルより高い場合にのみ、複写を許可するものである。
【０００５】
また、特許文献２は、暗号化された機密データを解読するに際してのＩＤ認証の仕組みについての技術を開示している。機密データは暗号化されて記憶されており、出力の際、印刷用紙に取り付けられた無線タグからＲＦＩＤデータを受信することによりＩＤ認証を行ない、特定の用紙に対してのみ機密データを印刷し、機密データの管理を実現している。
【０００６】
ここで、ＲＦＩＤとは、微小な無線チップによりモノを識別・管理する仕組みで、小型タグにデータを記憶し、アンテナ側からの非接触電力伝送技術により、電池を持たず半永久的に電波や電磁波で読取器と交信することが可能となるものである。
【０００７】
【特許文献１】特開２００１−１６０１１７号公報
【特許文献２】特開２００４−６６６９２号公報
【発明の開示】
【発明が解決しようとする課題】
【０００８】
上述の技術は、画像の複写などの禁止、許可を判断する手段を提供するに留まっており、実際に情報漏洩が発生しても、誰がどの原稿を複写したのかは分からない。デジタル複写機には、ユーザＩＤやジョブ情報を記録する機能を有しているものもあるが、依然、読み取られた原稿を特定し、複写した人物と関連付けて履歴管理することができないという問題が残されている。
【０００９】
本発明は、上記の問題を解決しようとするものであり、管理したい原稿に対応付けて稼動履歴を管理することのできる画像処理装置を提供することを目的としている。
【課題を解決するための手段】
【００１０】
請求項１に係わる発明は、原稿の画像情報を読み取るための読取手段と、
前記読取手段による画像情報の読み取りを含むジョブを実行するジョブ実行手段と、
前記読取手段により画像情報を読み取られた原稿に付されている無線タグから、前記無線タグに記憶されている無線タグ情報を取得する無線タグリーダと、
前記ジョブ実行手段が実行したジョブのジョブ情報と、前記無線タグ情報とを関連付けた、稼動履歴情報を記憶する記憶手段とを有する
ことを特徴とする画像処理装置である。
【００１１】
上記発明によれば、画像処理装置のジョブの実行に際し、原稿に付された無線タグから、この無線タグに書き込まれている情報を読み取り、画像処理装置が実行したジョブ情報と関連付けて記憶することにより、原稿情報と関連付けた画像処理装置の稼動履歴情報を提供する。原稿に付された無線タグには、使用者が原稿管理に必要と考える任意の情報を予め書き込んでおく。
【００１２】
たとえば、原稿の無線タグにその原稿の重要度に応じて画像処理を許可されたユーザグループをセキュリティレベル情報として記憶させておけば、後述の画像処理の実行者を特定するユーザＩＤと合わせて記憶手段に記憶することにより、画像複製を許可されていない者による違反行為を、特定することが可能となる。
【００１３】
ここで、画像処理装置の実行可能なジョブは、読み取った画像を記憶するだけのものに加え、複写機能、ファクシミリ機能、画像表示機能など、画像読取手段を利用した、どのようなものであってもよい。また、無線タグを付した原稿は、書籍、文書などの紙資源に限らず、写真フィルムやマイクロフィルムなど無線タグを付することのできる、視覚情報媒体であればよい。
【００１４】
また、無線タグと関連付けて記憶されるジョブ情報としては、稼動時刻や画像処理内容（画像情報の記憶先、複写枚数、ファクシミリ送信先）などその画像処理装置の稼動条件を規定するものが挙げられる。さらに、ユーザＩＤを入力する手段を備えることにより、誰が画像処理装置の稼動を実行したのかを管理することも可能となる。この際、他人のユーザＩＤを詐取したなりすましを防止するため、ユーザＩＤの入力に際しパスワード入力を要求する手段を備えてもよい。
【００１５】
請求項２に係わる発明は、原稿に付された無線タグから取得した前記無線タグ情報が、その原稿の識別情報を含む
ことを特徴とする請求項１に記載の画像処理装置である。
【００１６】
上記発明によれば、原稿に付された無線タグの情報を、その原稿に固有の識別情報、すなわち識別子とすることにより、原稿の複写などの行為に対して複製された原稿を特定して、稼動履歴管理することが可能となる。識別子としては、たとえば、図書文献のＩＳＢＮ（International Standard Book Number；国際標準図書番号）や、企業が社内規程で定める文書管理番号など、各原稿を一意に特定することができる管理情報を採用するとよい。
【００１７】
このとき、無線タグの情報は識別子に限定する必要はなく、書籍名、文書名などを識別名として読み込むことで稼動履歴管理がより容易になる。
【００１８】
請求項３に係わる発明は、前記記憶手段は、無線タグを有しない原稿に対して前記ジョブ実行手段が実行したジョブのジョブ情報を、前記稼動履歴情報と区別して記憶する
ことを特徴とする請求項１に記載の画像処理装置である。
【００１９】
上記発明によれば、無線タグを有しない原稿についての、画像処理装置の稼動履歴情報を、無線タグを有する原稿に対するそれと区別して記憶することを可能にする。これにより、無線タグ情報の有無による、画像処理装置稼動履歴の個別管理が可能となる。また、これらに共通する情報に基づき、原稿が無線タグを有するか否かによらない装置全体の稼動履歴を管理してもよい。
【００２０】
請求項４に係わる発明は、前記記憶手段に記憶されている情報を所定の並替条件で並べ替える情報並替手段を有する
ことを特徴とする請求項１または３に記載の画像処理装置である。
【００２１】
上記発明によれば、情報の区分ごとに優先順位をつけて、稼動履歴情報を五十音順、アルファベット順、数字の大小などにより並べ替える情報並替手段を有している。これにより、稼動履歴情報の把握を容易にすることが可能となる。この場合、並べ替える情報の対象範囲や優先順位を予め定めておき、出力要求するだけで、並べ替えるように設定してもよい。また、履歴管理を行なう者の要求に応じて、並べ替える情報の対象範囲を入力してから、並べ替える方法を採用してもよい。
【００２２】
並替項目は、原稿の無線タグ情報、画像処理装置のジョブ情報いずれから選択してもかまわない。
【００２３】
並べ替える対象の稼動履歴情報は、無線タグ情報を有するもの、有しないものいずれであってもよく、可能な場合双方を一括して並べ替えてもよい。
【００２４】
請求項５に係わる発明は、前記並替条件を設定する並替条件設定手段を有する
ことを特徴とする請求項４に記載の画像処理装置である。
【００２５】
上記発明によれば、並替条件の変更が可能となる。これにより、予め並替条件が設定されており、これを変更することができない場合に比べ、より自由度の高い、稼動履歴情報の加工が実現できる。並替項目、並べ替える情報は前述の通りである。
【００２６】
請求項６に係わる発明は、前記記憶手段に記憶されている情報の中から所定の抽出条件に合致した情報を抽出する情報抽出手段を有する
ことを特徴とする請求項１または３に記載の画像処理装置である。
【００２７】
上記発明によれば、全体の稼動履歴情報から管理者の要求する条件のみを有する情報を抽出する情報抽出手段を有している。これにより、膨大な稼動履歴情報の中から管理者が必要な情報のみを照会することが可能となる。
【００２８】
この場合、抽出する情報の対象範囲や項目を予め定めておき、出力要求するだけで抽出するように設定してもよい。また、抽出する情報の対象範囲を出力要求時に入力するように構成してもよい。
【００２９】
抽出項目は、原稿の無線タグ情報、画像処理装置のジョブ情報いずれから選択してもかまわない。
【００３０】
抽出する対象の稼動履歴情報は、無線タグ情報を有するもの、有しないものいずれであってもよく、可能な場合双方を一括して抽出してもよい。
【００３１】
請求項７に係わる発明は、前記抽出条件を設定する抽出条件設定手段を有する
ことを特徴とする請求項６に記載の画像処理装置である。
【００３２】
上記発明によれば、抽出条件の変更が可能となる。これにより、予め抽出条件が設定されており、これを変更することができない場合に比べ、より自由度の高い、稼動履歴情報の加工が実現できる。抽出項目、抽出する情報は前述の通りである。
【００３３】
請求項８に係わる発明は、前記記憶手段に記憶されている情報を視認可能とする可視化手段を有する
ことを特徴とする請求項１または３に記載の画像処理装置である。
【００３４】
上記発明によれば、管理者が稼動履歴情報を具体的に確認したり、他人にその情報を提示したりすることが可能となる。視認可能化する手段は、紙資源へのプリントアウト、画面表示のいずれの方法であってもよい。
【００３５】
請求項９に係わる発明は、前記記憶手段に記憶されている情報を指定された情報端末に送信する送信手段を有する
ことを特徴とする請求項１または３に記載の画像処理装置である。
【００３６】
上記発明によれば、記憶手段に記憶されている稼動履歴情報を当該画像処理装置外の情報端末に送信する手段を提供する。これにより、画像処理装置から離れた場所で、画像処理実績の履歴管理が可能となる。
【００３７】
送信方式は、画像処理装置にローカル接続された情報端末へ送信する方式でもよいし、ネットワークを介する方式でもよい。また、送信するデータ形式もオリジナルデータでもよいし、汎用データに加工したものでもよい。
【００３８】
さらに、各種情報端末における利便性の観点から、表計算ソフトなどのアプリケーションソフトに対応した形式に加工した後に送信してもよい。
【発明の効果】
【００３９】
本発明に係わる画像処理装置によれば、原稿の無線タグ情報と、画像処理装置が実行したジョブ情報とを関連付けて記憶することができるので、従来技術では実現できなかった、どのような種類の原稿に対し、誰が、どのようなジョブを行なったのかを特定した、画像処理装置の稼動履歴情報が提供される。
【００４０】
原稿に付した無線タグにその原稿を一意で特定可能な識別子を記憶させておくことにより、上述の画像処理装置の稼動履歴管理を原稿単位で実現し、より詳細な稼動履歴管理が可能となる。
【００４１】
無線タグを有しない原稿についての画像処理装置ジョブ情報をさらに記憶する手段を有することにより、無線タグを有する原稿とそうでない原稿とを別々に、あるいは一括して稼動履歴管理することが可能となる。
【００４２】
記憶手段の稼動履歴情報について、情報並替手段を有するので、膨大な情報を解読しやすく並べ替えることにより、画像処理装置の稼動履歴管理に必要な作業時間の削減が可能となる。
【００４３】
前記情報並替手段に並替条件設定手段を備えることにより、その条件が予め固定されている場合に比べ、さらに作業時間の削減が可能となる。
【００４４】
記憶手段の稼動履歴情報について、情報抽出手段を有するので、膨大な情報の中から、画像処理装置の稼動履歴管理、分析上、必要な情報のみを提供することにより、作業時間の大幅な削減が可能となる。
【００４５】
前記情報抽出手段に抽出条件設定手段を有することにより、その条件が予め固定されている場合に比べ、さらに作業時間の削減が可能となる。
【００４６】
記憶手段の稼動履歴情報の可視化手段を有することにより、管理者が画像装置稼動履歴情報を具体的に把握することが可能となり、管理の実効を図ることができる。
【００４７】
記憶手段の稼動履歴情報を送信する手段を有することにより、当該画像処理装置から離れて管理することが可能となり、作業効率が向上する。
【発明を実施するための最良の形態】
【００４８】
以下、図面に基づき本発明の実施の形態を説明する。
【００４９】
図１は、本発明の実施の形態に係わる画像処理装置１０の電気的構成を示している。
【００５０】
画像処理装置１０は、原稿を読み取ってその複製画像を記録紙上に形成する複写機としての機能のほか、原稿を読み取って対応する画像データを出力するスキャナ機能や受信した印刷データに応じて印刷するプリンタ機能などを備えた複合機として構成されている。
【００５１】
ここで、本発明の実施の形態に係わる画像処理装置１０は、原稿に付されている無線タグから情報を読み取り、この情報と画像処理装置１０が実行したジョブ情報とを関連付けて記憶することにより、当該画像処理装置１０の稼動履歴を管理する機能を備えている。
【００５２】
画像処理装置１０は、その動作を統括制御する制御部としてのＣＰＵ（中央処理装置）１１と、ＲＯＭ（リード・オンリ・メモリ）１２とＲＡＭ（ランダム・アクセス・メモリ）１３とを主要部とした回路で構成されている。
【００５３】
ＲＯＭ１２は、ＣＰＵ１１が実行するプログラムや各種固定データを記憶している。ＲＡＭ１３は、ＣＰＵ１１がプログラムを実行する際に各種データを一時的に格納するワークメモリや、回転処理などを施すために画像データを少なくとも１ページ分格納するページメモリとして機能する。
【００５４】
さらに、ＣＰＵ１１には表示手段２０と、パネル操作手段２１と、画像処理手段２２と、画像形成手段２３と、画像出力手段２４と、原稿読取手段２５と、画像記憶手段２６と、ユーザＩＤ記憶手段２７と、ジョブ履歴記憶手段２８と、通信制御部２９と、無線制御部３１とが接続されている。
【００５５】
表示手段２０は、液晶ディスプレイで構成され、ユーザに各種の案内表示や状態表示を行なう機能を果たす。表示手段２０には、複写機能やファクシミリ機能、プリンタ機能、スキャナ機能などの機能毎に個別の操作画面が切り替え表示される。
【００５６】
パネル操作手段２１は、各種の操作スイッチと表示手段２０の表面を覆うタッチパネルで構成され、ユーザからの各種の操作を受け付ける機能を有する。
【００５７】
画像処理手段２２は、画像データを拡大・縮小する機能、画面を回転させる機能などを果たす。
【００５８】
画像形成手段２３は、画像データに対応する画像を電子写真プロセスによって記録紙上に形成して出力する機能を果たす。画像形成手段２３は、記録紙の搬送装置と、感光体ドラムと、帯電装置と、レーザユニットと、現像装置と、転写分離装置と、クリーニング装置と、定着装置とを有するいわゆるレーザープリンタとして構成されている。
【００５９】
画像出力手段２４は、画像記憶手段２６に格納されている画像データを画像形成手段２３の動作タイミングに合わせて画像形成手段２３に供給する機能を果たす。
【００６０】
原稿読取手段２５は、原稿画像を読み取って対応する画像データを取り込む機能を果たす。原稿読取手段２５は、原稿を照射する光源と、原稿をその幅方向に１ライン分読み取るラインイメージセンサと、ライン単位の読取位置を原稿の長さ方向に移動させる移動手段と、原稿からの反射光をラインイメージセンサに導いて結像させるレンズやミラーからなる光学経路とを備えている。ラインイメージセンサはＣＣＤ（Charge Coupled Device）で構成される。ラインイメージセンサが出力するアナログ画像信号はＡ／Ｄ変換され、デジタルの画像データとして取り込まれる。
【００６１】
画像記憶手段２６は、圧縮された画像データや印刷データなどを格納するための大容量の記憶装置である。ここではハードディスク装置（ＨＤＤ）を使用している。
【００６２】
ユーザＩＤ記憶手段は、ユーザを一意に特定するためのユーザＩＤとそのユーザの属性情報とを対応付けて記憶している。ユーザの属性情報には、ユーザ名、所属部署、セキュリティレベルなどがある。セキュリティレベルは、そのユーザが画像処理を実行可能な原稿の機密レベルを表わしている。無線タグ付の原稿に係わるジョブを実行可能なユーザは、ユーザＩＤが登録されているユーザに限定される。
【００６３】
ジョブ履歴記憶手段２８は稼動履歴情報の記憶部である。稼動履歴情報は、ジョブ履歴記憶手段２８にジョブの実行された時系列順に収められている。ここではハードディスク装置（ＨＤＤ）を使用している。
【００６４】
通信制御部２９は、電話回線や各種のネットワークと接続して通信する機能を果たす。
【００６５】
無線タグリーダ３０は、書籍などの原稿４０に付いている無線タグ４１と通信するためのアンテナ３２と無線制御部３１とからなる。無線制御部３１は、アンテナ３２を通じて無線タグ４１とデータを送受信したり無線タグ４１に電力供給したりするための通信制御を行なう。
【００６６】
無線タグ４１は、無線通信機能を備えた電子荷札であり、外部から電磁的に電力の供給を受けて動作するＩＣチップとアンテナとを内蔵している。無線タグ４１は、ＲＦＩＤを使用している。無線タグ４１のＩＣチップは、不揮発性メモリを内蔵し、これに記憶されているデータ（無線タグ情報）を読み出して無線送信する機能を備えている。
【００６７】
書籍などの原稿４０に付加された無線タグ４１には、無線タグ情報として、その原稿４０を特定するための識別子、識別名、セキュリティレベルが格納されている。
【００６８】
また、ＣＰＵ１１はジョブ履歴記憶手段２８のジョブ実行履歴情報を、並べ替え（以下、ソート）るソート手段５０、必要な情報のみを抽出（以下、フィルタリング）するフィルタリング手段５１としての機能を有しており、ユーザの要求に応じてこれらの情報操作を実現する。
【００６９】
以下、画像処理装置１０の有する機能のうち、複写機能を例に、本発明の実施の形態の説明を行なう。
【００７０】
図２は、図１に示したジョブ履歴記憶手段２８に記憶されている稼動履歴情報を示している。稼動履歴情報は、ジョブ毎に通番を振ったジョブ番号１００、無線タグを付して管理している原稿であることを示す保護文献標識１０１、原稿を個別管理するための識別子１０２、原稿のタイトルなどを表わした識別名１０３、ジョブの実行時刻１０４、複写枚数１０５、原稿の重要度を表わしたセキュリティレベル１０６、および、そのジョブの実行者を表わすユーザＩＤ１０７の各項目から構成される。
【００７１】
これら項目のうち、保護文献標識１０１、識別子１０２、識別名１０３、セキュリティレベル１０６は、それぞれの原稿４０についての無線タグ情報であり、無線タグリーダ３０が無線タグ４１から取得した情報である。  
一方、ジョブ番号１００、実行時刻１０４、複写枚数１０５、ユーザＩＤ１０７は画像処理装置１０がジョブ実行時に生成するジョブ情報である。
【００７２】
これらを関連付けて記憶した稼動履歴情は、無線タグ４１を有さない原稿についてのジョブ情報とともに、ジョブ履歴記憶手段２８にジョブの実行順に記憶されており、無線タグ有無の区別なく、すべてのジョブに関する情報が混在している。
【００７３】
図３は、無線タグリーダ３０の取り付け位置を示している。画像処理装置１０は、原稿読取手段２５で読み取る書籍などの原稿４０を載置するための原稿台３３を備えており、無線タグリーダ３０は、原稿台３３に載置された原稿４０の無線タグ４１と通信可能なように、原稿台３３の近傍に配置されている。この例では、原稿台３３が有するプラテンガラスの内側であって露光走査の邪魔にならない位置に無線タグリーダ３０を配置してある。
【００７４】
図４は、画像処理装置１０の操作パネル６０を示している。操作パネル６０は、パネル操作手段２１と表示手段２０とを有する。パネル操作手段２１は、画像処理装置１０の基本操作をするための各種操作ボタンと、表示手段２０上のタッチパネルから構成される。このタッチパネルから複写機能などの詳細設定および稼動履歴情報の編集画面などを設定するようになっている。
【００７５】
図５は、画像処理装置１０が原稿を複写する際のＣＰＵの動作フローを示している。また、図６から図８は、図５に示すフローの各動作において画像処理装置１０の表示手段２０に表示される、各種の操作画面を示している。
【００７６】
図６は、コピー機能基本画面２０１である。本画面２０１は、設定内容をユーザに通知するための各種案内を表示するガイド表示部２０２と、設定内容を変更するための各種操作ボタンが配置された操作部２０３および、後述する稼動履歴管理画面へ移行するためのリスト表示ボタン２０４で構成されている。
【００７７】
複写開始にあたり、画像処理装置１０は、コピー機能基本画面２０１を通じてユーザから複写ジョブを受け付ける。複写条件設定後、ユーザがパネル操作手段２１にあるスタートボタンを押すと、ジョブを受け付ける（図５、ステップＳ１０１）。
【００７８】
次に、無線タグリーダ３０および無線制御部３１はその原稿について無線タグ４１の検出を試みる（図５、ステップＳ１０２）。原稿４０が無線タグ４１を有する場合は（ステップＳ１０２；Ｙ）、ユーザＩＤの入力を要求する（ステップＳ１０３）。
【００７９】
図７は、このとき表示手段２０に表示されるユーザＩＤ入力画面２１０を示している。
【００８０】
ユーザＩＤ入力画面２１０では、ユーザＩＤ入力メッセージ２１１の下段に、ユーザＩＤ入力欄２１２が表示される。ユーザは、本欄に自己のユーザＩＤ２１３を入力する。また、その下段のパスワード入力欄２１４にはパスワード２１５を入力する。パスワードは他人のユーザＩＤを詐取したなりすましを防止するため、ユーザ自身が秘密管理している。入力が完了したら、「ＯＫ」ボタン２１６を押す。
【００８１】
ここで、「中止」ボタン２１７を押すと、当該原稿４０についてのコピーを中止し、コピー機能基本画面２０１に戻る。
【００８２】
ユーザＩＤ２１３とパスワード２１５とが入力されると、ＣＰＵ１１は、ユーザＩＤ記憶手段２７に予め記憶されているユーザＩＤ、パスワードと、ユーザが入力したそれらとを照合する（図５、ステップＳ１０４）。入力されたユーザＩＤ２１３とパスワード２１５の組み合わせが登録されているものであれば（ステップＳ１０４；Ｙ）、ジョブの受け付けを完了する。表示手段２０は、コピー機能基本画面２０１に戻り、投入したジョブが実行される（ステップＳ１０５）。
【００８３】
最後に、複写に関するジョブ情報と、無線タグ４１から読み取った無線タグ情報とを関連付けてジョブ履歴記憶手段２８に記憶し（図５、ステップＳ１０６）、ジョブを終了する。
【００８４】
前記照合の結果、ユーザＩＤ入力欄２１２に入力したユーザＩＤ２１３が予めユーザＩＤ記憶手段２７に記憶されているものと異なる場合は（図５、ステップＳ１０４；Ｎ）、図８に示すユーザＩＤ無効通知画面２２０を表示して、ユーザにジョブを実行できない旨を通知する（ステップＳ１０７）。
【００８５】
このように登録されていないユーザＩＤが入力された場合にジョブの実行を拒絶することで、後から実行者を特定できない無意味な稼動履歴情報が記憶されることを防止している。
【００８６】
具体的には、ユーザＩＤ無効通知画面２２０上にユーザＩＤ無効メッセージ２２１が表示される。ユーザは、正しいユーザＩＤ２１３、パスワード２１５を再入力するか、「中止」ボタン２１７を押して、当該原稿４０についての複写を中止するか否かを判断する。
【００８７】
また、原稿から無線タグ４１が検出されなかった場合（図５、ステップＳ１０２；Ｎ）、ＣＰＵ１１はユーザＩＤの入力を要求することなく、ジョブを受け付け、複写を実行する（ステップＳ１０８）。そして、実行したジョブのジョブ情報のみをユーザＩＤ記憶手段２７に送り、記憶して（ステップＳ１０９）、ジョブを終了する。
【００８８】
ユーザＩＤ入力画面２１０の操作は、原則、無線タグリーダ３０が新たな原稿４０の無線タグ４１を検出するたびに繰り返される。
【００８９】
ただし、同一人物が続けて何度もＩＤ入力をする労力を削減するため、一度ユーザＩＤが有効であると確認された後は、パネル操作手段２１のリセットボタンにて設定条件をクリアしない限り、再度のユーザＩＤ入力は要求しないようにしてもよい。
【００９０】
図９は、ＣＰＵが複写についての稼動履歴管理を行なう際のフローを示している。また、図１０から図１３は、前記フローの各動作において表示手段２０に表示される各操作画面を示している。
【００９１】
ユーザがコピー機能基本画面２０１のリスト表示ボタン２０４を操作すると、複写機能についての稼動履歴表示要求ジョブの受け付けとなり（図９、ステップＳ２０１）、図１０のリスト表示操作基本画面２３０を表示する（ステップＳ２０２）。
【００９２】
本画面２３０では、リスト表示操作メッセージ２３１の下の欄に、表示期間始期入力欄２３２、表示期間終期入力欄２３３が表示される。ユーザは、これらの欄にそれぞれ、データ表示範囲の始期および終期の年月日、時刻を入力し、これから表示するデータの表示範囲を指定する。
【００９３】
その後、ソートボタン２３４が押されると（図９、ステップＳ２０３；Ｙ）、ソート条件設定画面に表示を切り替える。フィルタリングボタン２３５が押されると（ステップＳ２０３；Ｎ、ステップＳ２０７；Ｙ）、フィルタリング条件設定画面に表示を切り替える。また、「ＯＫ」ボタン２３６が押されると（ステップＳ２０３；Ｎ、ステップＳ２０７；Ｎ）、そのまま稼動履歴情報を表示するリスト表示画面へ表示を切り替える。
【００９４】
図１１は、リスト表示操作基本画面２３０においてデータ表示範囲の設定後、ソートボタン２３４を押した後に表示される、ソート条件設定画面２４０である。
【００９５】
本画面２４０では、ソート条件入力メッセージ２４１の下の欄にソート項目選択ボックス２４２が表示される。当該ボックスの右部分にある上スクロールボタン２４３、下スクロールボタン２４４を押して、ソート項目選択バー２４５を移動させ、ソートを選択する。ソート項目選択バー２４５は、選択項目の背景と文字の色が反転することで、当該項目が選択されたことを表わす。
【００９６】
ソート条件設定画面２４０下欄の右半部分には、優先項目入力欄２４７が第１優先から第３優先まで並んでいる。これらは、ソートの優先順位を決めるために設けられているものである。ユーザは、タッチパネルに触れて、入力したい優先項目入力欄２４７を選択した後、ソート条件決定ボタン２４６を押すと、ソート項目選択バー２４５で選択されている項目が優先項目入力欄２４７に表示される。
【００９７】
優先項目入力欄２４７入力後、「ＯＫ」ボタン２４８を押すとソート条件を受け付ける（図９、ステップＳ２０４）。
【００９８】
ソートを中止する場合、「中止」ボタン２４９を押すと、操作画面がリスト表示操作基本画面２３０に切り替わる。
【００９９】
以上の条件設定および操作により、ＣＰＵ１１は、ジョブ履歴記憶手段２８から指定された情報を受け取り、指定されたソート項目、優先順位に従いソート手段５０にてソートを実行し（図９、ステップＳ２０５）、表示手段２０にリスト表示画面２５０を表示する（ステップＳ２０６）。
【０１００】
図１２は、リスト表示画面２５０である。ソート画面メッセージ２５１下欄のリスト表示ボックス２５２には、図面上省略しているが、表示要求のあった稼動履歴情報がリスト表示される。
【０１０１】
ここで、リスト出力ボタン２５３を押すと、リスト表示ボックス２５２の表示内容がプリントアウトされる。リスト送信ボタン２５４を押すと、リスト表示ボックス２５２の表示内容が送信される。
【０１０２】
また、「戻る」ボタン２５５を押すと、コピー機能基本画面２０１表示に切り替わる。
【０１０３】
図１４は、図２に示した範囲の稼動履歴情報に図１１の条件でソートを実行した場合に、図１２のリスト表示ボックス２５２に表示される内容である。ここでは、ソートの優先順位として、第１優先に「ユーザＩＤ」を選択したので、リストの先頭部分にユーザ別の稼動履歴情報が表示され、その後ろに無線タグ４１を有さない原稿についてのジョブ情報が表示されている。これは、無線タグを有さない原稿についてのジョブ情報が、ユーザＩＤと対応付けて記憶されていないからである。  
また、第２優先に「枚数」を選択したので、同一ユーザについての稼動履歴情報は、複写枚数の少ない順に表示されている。
【０１０４】
リスト表示操作基本画面２３０にてデータ表示範囲の設定後、フィルタリングボタン２３５を押してフィルタリング表示要求すると（図９、ステップＳ２０７；Ｙ）、図１３に示すフィルタリング条件設定画面２６０が表示される。
【０１０５】
本画面では、フィルタリング条件入力メッセージ２６１の下段に管理項目選択ボックス２６２、フィルタリング項目選択ボックス２６５が表示される。
【０１０６】
管理項目選択ボックス２６２では、右側の上スクロールボタン２４３や下スクロールボタン２４４を操作することで、管理項目選択バー２６３を移動させ、管理項目を選択する。管理項目選択バー２６３は、選択項目の背景と文字の色が反転することで、当該項目が選択されたことを表わす。
【０１０７】
次に、管理項目決定ボタン２６４を押すと、管理項目選択バー２６３で選択されている項目に該当する情報がジョブ履歴記憶手段２８から読み出されて、フィルタリング項目選択ボックス２６５に表示される。
【０１０８】
フィルタリング項目選択ボックス２６５では、右側の上スクロールボタン２４３、下スクロールボタン２４４を押して、フィルタリング項目選択バー２６６を移動させ、フィルタリングしたい項目を選択する。フィルタリング項目選択バー２６６は、選択項目の背景と文字の色が反転することで、当該項目が選択されたことを表わす。
【０１０９】
続いて、フィルタリング項目決定ボタン２６７を押すと、フィルタリング項目選択バー２６６で選択されている項目が、フィルタリング項目欄２６８に表示される。
【０１１０】
フィルタリング項目欄２６８決定後、「ＯＫ」ボタン２６９を押すと、フィルタリング条件を受け付け（図９、ステップＳ２０８）、フィルタリングを実行する。
【０１１１】
「中止」ボタン２７０を押すと、操作画面がリスト表示操作基本画面２３０に切り替わる。
【０１１２】
上述のフィルタリング表示要求操作により、ＣＰＵ１１のフィルタリング手段５１は、ジョブ履歴記憶手段２８から指定範囲の情報を受け取り、指定されたフィルタリング項目に従いフィルタリングをしてから（図９、ステップＳ２０９）、表示手段２０に結果を表示する（ステップＳ２０６）。
【０１１３】
図１５は、図２に示した範囲の稼動履歴情報を図１３の条件でフィルタリングを実行した場合に、図１２のリスト表示ボックス２５２に表示される内容である。ここでは、フィルタリング項目としてユーザＩＤが「８４９０」のデータをフィルタリングしたので、このユーザが無線タグ４１の付いている原稿４０につきコピーを実行した履歴のみが抽出されて表示される。
【０１１４】
ソート、フィルタリングのいずれもしない場合は、図１０のリスト表示操作基本画面２３０にある「ＯＫ」ボタン２３６を押す。  
ＣＰＵ１１は、ユーザの指定した表示範囲指定を受け付け（図９、ステップＳ２０７；Ｎ）、ジョブ履歴記憶手段２８から、リスト表示操作基本画面２３０で指定した範囲の情報を受け取る（ステップＳ２１０）。そして、図２に示した範囲の稼動履歴情報をそのまま表示手段２０に表示する（ステップＳ２０６）。
【０１１５】
図１２のリスト表示ボックス２５２に表示した稼動履歴情報は、リスト出力ボタン２５３を押すと印刷される。
【０１１６】
また、リスト送信ボタン２５４を押すと、リスト表示ボックス２５２に表示されている情報は、予め通信制御部２９に宛先の記憶されたほかの情報端末に、インターネットを利用した電子メールを通じて送信することができる。この場合、別途、送信先を指定する手段を設けてもよい。
【０１１７】
以上、本発明の実施の形態を図面によって説明してきたが、具体的な構成は実施の形態に示したものに限られるものではなく、本発明の要旨を逸脱しない範囲における変更や追加があっても本発明に含まれる。
【０１１８】
画像処理装置１０の有する機能のなかでも、複写機能を中心に説明したが、その他、複合機の有する各種機能のうち、ファクシミリ機能、プリンタ機能、スキャナ機能など、ほかの機能についても、同様に稼動履歴情報を管理することができる。これらのうち、原稿の読み取りを含む、ファクシミリ機能、スキャナ機能などのジョブについては、本発明を適用することができる。
【０１１９】
無線タグ情報には、セキュリティレベルに対応する全ユーザＩＤを記憶させておくこともできる。これにより、ジョブ実行時に入力したユーザＩＤ１０７と無線タグ情報としてのユーザＩＤが稼動履歴情報として両方記憶されるので、両データを比較すれば権限のないユーザによる違反行為を把握できる。
【０１２０】
稼動履歴情報の管理にあたり、リスト表示、ソート、フィルタリングそれぞれの条件の入力手段は、直接画像処理装置１０の操作手段２１のタッチパネルを操作する方法に限られない。たとえば、画像処理装置１０にローカル接続され、あるいはネットワークを介して接続された情報端末からの設定可能に構成してもよい。
【０１２１】
図９においては、ソートおよびフィルタリングは、いずれか一方の機能選択しかできない。しかし、ソートした稼動情報をフィルタリングしたり、逆にフィルタリングした情報をソートしたりする機能を備えてもよい。
【０１２２】
リストをほかの情報端末に送信する手段は、ネットワークを介した方法に限らず、ローカル接続された情報端末へ送信する方法、画像処理装置１０の有するファクシミリ機能を利用して送信する方法でもよい。
【０１２３】
また、送信機能を介して、複数の画像処理装置１０から稼動履歴情報を収拾し、１つの情報端末において、複数の画像処理装置１０についての稼動情報管理、さらには、遠隔地からの稼動情報管理を行なうことも可能である。
【図面の簡単な説明】
【０１２４】
【図１】本発明の実施の形態に係わる画像処理装置の構成を示すブロック図である。
【図２】図１のジョブ履歴記憶手段に記憶されている稼動履歴情報の一例を示す説明図である。
【図３】画像処理装置における無線タグリーダの取り付け位置を示す説明図である。
【図４】図１のパネル操作手段を示す説明図である。
【図５】画像処理装置が原稿を複写する際の動作を示す流れ図である。
【図６】図１の表示手段に表示されるコピー機能基本画面の一例を示す説明図である。
【図７】図１の表示手段に表示される、ＩＤ入力画面の一例を示す説明図である。
【図８】図１の表示手段に表示される、ＩＤ無効通知画面の一例を示す説明図である。
【図９】画像処理装置がジョブ履歴記憶手段の稼動履歴情報を表示手段にリスト表示する際の動作を示す流れ図である。
【図１０】図１の表示手段に表示される、リスト表示操作基本画面の一例を示す説明図である。
【図１１】図１の表示手段に表示される、ソート条件設定画面の一例を示す説明図である。
【図１２】図１の表示手段に表示される、リスト表示画面の一例を示す説明図である。
【図１３】図１の表示手段に表示される、フィルタリング条件設定画面の一例を示す説明図である。
【図１４】図１のジョブ履歴記憶手段に記憶されている稼動履歴情報をソート手段によりソート後、リスト表示画面に表示された稼動履歴情報の一例を示す説明図である。
【図１５】図１のジョブ履歴記憶手段に記憶されている稼動履歴情報をフィルタリング手段によりフィルタリング後、リスト表示画面に表示された稼動履歴情報の一例を示す説明図である。
【符号の説明】
【０１２５】
１０…画像処理装置
１１…ＣＰＵ
１２…ＲＯＭ
１３…ＲＡＭ
２０…表示手段
２１…パネル操作手段
２２…画像処理手段
２３…画像形成手段
２４…画像出力手段
２５…原稿読取手段
２６…画像記憶手段
２７…ユーザＩＤ記憶手段
２８…ジョブ履歴記憶手段
２９…通信制御部
３０…無線タグリーダ
３１…無線制御部
３２…アンテナ
３３…原稿台
４０…原稿
４１…無線タグ
５０…ソート手段
５１…フィルタリング手段
６０…操作パネル
１００…ジョブ番号
１０１…保護文献標識
１０２…識別子
１０３…識別名
１０４…実行時刻
１０５…複写枚数
１０６…セキュリティレベル
１０７…ユーザＩＤ
２０１…コピー機能基本画面
２０２…ガイド表示部
２０３…操作部
２０４…リスト表示ボタン
２１０…ユーザＩＤ入力画面
２１１…ユーザＩＤ入力メッセージ
２１２…ユーザＩＤ入力欄
２１３…ユーザＩＤ
２１４…パスワード入力欄
２１５…パスワード
２１６…「ＯＫ」ボタン
２１７…「中止」ボタン
２２０…ユーザＩＤ無効通知画面
２２１…ユーザＩＤ無効メッセージ
２３０…リスト表示操作基本画面
２３１…リスト表示操作メッセージ
２３２…表示期間始期入力欄
２３３…表示期間終期入力欄
２３４…ソートボタン
２３５…フィルタリングボタン
２３６…「ＯＫ」ボタン
２３７…「中止」ボタン
２４０…ソート条件設定画面
２４１…ソート条件入力メッセージ
２４２…ソート項目選択ボックス
２４３…上スクロールボタン
２４４…下スクロールボタン
２４５…ソート項目選択バー
２４６…ソート条件決定ボタン
２４７…優先項目入力欄
２４８…「ＯＫ」ボタン
２４９…「中止」ボタン
２５０…リスト表示画面
２５１…ソート画面メッセージ
２５２…リスト表示ボックス
２５３…リスト出力ボタン
２５４…リスト送信ボタン
２５５…「戻る」ボタン
２６０…フィルタリング条件設定画面
２６１…フィルタリング条件入力メッセージ
２６２…管理項目選択ボックス
２６３…管理項目選択バー
２６４…管理項目決定ボタン
２６５…フィルタリング項目選択ボックス
２６６…フィルタリング項目選択バー
２６７…フィルタリング項目決定ボタン
２６８…フィルタリング項目欄
２６９…「ＯＫ」ボタン
２７０…「中止」ボタン
【図１】
2006100917.tif 000003
【図２】
2006100917.tif 000004
【図３】
2006100917.tif 000005
【図４】
2006100917.tif 000006
【図５】
2006100917.tif 000007
【図６】
2006100917.tif 000008
【図７】
2006100917.tif 000009
【図８】
2006100917.tif 000010
【図９】
2006100917.tif 000011
【図１０】
2006100917.tif 000012
【図１１】
2006100917.tif 000013
【図１２】
2006100917.tif 000014
【図１３】
2006100917.tif 000015
【図１４】
2006100917.tif 000016
【図１５】
2006100917.tif 000017